【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
第１のユーザ機器（ＵＥ）のために構成され、前記第１のＵＥを同期させるために使用される同期搬送波のセットを識別することと、
前記第１のＵＥにおいて、１つ以上の第２のＵＥとの通信を確立するのに使用される１つ以上の周波数搬送波を識別することと、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定することと、
前記同期搬送波のサブセット中の各同期搬送波に関係する同期源を決定することと、
前記同期源により提供されるタイミングおよび周波数の同期に基づいて、前記１つ以上の周波数搬送波を通しての前記第１のＵＥと前記１つ以上の第２のＵＥとの間の通信を確立することとを含む方法。
【請求項２】
前記同期搬送波のサブセット中の各同期搬送波に対する最高優先度の同期源を決定することと、
前記最高優先度の同期源を有する前記周波数搬送波として、前記同期搬送波を選択することとをさらに含む請求項１記載の方法。
【請求項３】
前記１つ以上の周波数搬送波が、複数の搬送波グループに区分され、
前記同期源が、前記複数の搬送波グループのうちの１つ以上に対してタイミングおよび周波数の基準を提供する請求項１記載の方法。
【請求項４】
前記同期搬送波のサブセット中の同期搬送波のそれぞれに関係する同期源を決定することは、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別することと、
前記同期搬送波に対する優先度またはコンフィギュレーションのうちの１つまたは両方に基づいて、前記同期源を選択することとをさらに含む請求項１記載の方法。
【請求項５】
前記同期搬送波のサブセット中の同期搬送波のそれぞれに関係する同期源を決定することは、
前記同期搬送波のセット内の各同期搬送波に関係する優先度を識別することと、
前記同期搬送波が、前記同期搬送波のセット内の最高優先度の搬送波であることを決定することと、
前記同期搬送波に対するコンフィギュレーションに基づいて、前記同期源を決定することとをさらに含む請求項１記載の方法。
【請求項６】
前記同期搬送波のセット内の各同期搬送波に関係する優先度は、無線リソース制御（ＲＲＣ）コンフィギュレーションを使用して、前記ＵＥ中に構成される請求項５記載の方法。
【請求項７】
前記第１のＵＥのサイドリンク同期能力は、前記第１のＵＥが複数の搬送波からの第１の周波数搬送波上でサイドライン同期信号（ＳＬＳＳ）を受信できるようにすることを決定することと、
前記第１のＵＥを同期サーチ搬送波に同調させることとをさらに含み、
前記サイドリンク同期能力に基づいて、前記第１の周波数搬送波が、前記同期サーチ搬送波として設定される請求項１記載の方法。
【請求項８】
前記第１のＵＥのサイドリンク同期能力は、前記第１のＵＥが前記周波数搬送波のセットからの第１の周波数搬送波と第２の周波数搬送波上でサイドライン同期信号（ＳＬＳＳ）を受信し、前記第２の周波数搬送波上で前記ＳＬＳＳを送信できるようにすることを決定することと、
前記第１のＵＥを同期サーチ搬送波に同調させることとをさらに含み、
前記サイドリンク同期能力に基づいて、前記第２の周波数搬送波が、前記同期サーチ搬送波として設定される請求項１記載の方法。
【請求項９】
ワイヤレス通信のためのコンピュータ読取可能媒体において、
プロセッサにより実行されるときに、前記プロセッサに、請求項１〜８のいずれか記載の方法を実行させるコードを含むコンピュータ読取可能媒体。
【請求項１０】
ワイヤレス通信のための装置において、
第１のユーザ機器（ＵＥ）のために構成され、前記第１のＵＥを同期させるために使用される同期搬送波のセットを識別する手段と、
前記第１のＵＥにおいて、１つ以上の第２のＵＥとの通信を確立するのに使用される１つ以上の周波数搬送波を識別する手段と、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定する手段と、
前記同期搬送波のサブセット中の各同期搬送波に関係する同期源を決定する手段と、
前記同期源により提供されるタイミングおよび周波数の同期に基づいて、前記１つ以上の周波数搬送波を通しての前記第１のＵＥと前記１つ以上の第２のＵＥとの間の通信を確立する手段とを具備する装置。
【請求項１１】
前記同期搬送波のサブセット中の各同期搬送波に対する最高優先度の同期源を決定する手段と、
前記最高優先度の同期源を有する前記周波数搬送波として、前記同期搬送波を選択する手段とをさらに具備する請求項１０記載の装置。
【請求項１２】
前記１つ以上の周波数搬送波が、複数の搬送波グループに区分され、
前記同期源が、前記複数の搬送波グループのうちの１つ以上に対してタイミングおよび周波数の基準を提供する請求項１０記載の装置。
【請求項１３】
前記同期搬送波のサブセット中の同期搬送波のそれぞれに関係する同期源を決定する手段は、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別する手段と、
前記同期搬送波に対する優先度またはコンフィギュレーションのうちの１つまたは両方に基づいて、前記同期源を選択する手段とをさらに備える請求項１０記載の装置。
【請求項１４】
前記同期搬送波のサブセット中の同期搬送波のそれぞれに関係する同期源を決定する手段は、
前記同期搬送波のセット内の各同期搬送波に関係する優先度を識別する手段と、
前記同期搬送波が、前記同期搬送波のセット内の最高優先度の搬送波であることを決定する手段と、
前記同期搬送波に対するコンフィギュレーションに基づいて、前記同期源を決定する手段とをさらに備える請求項１０記載の装置。
【請求項１５】
前記同期搬送波のセット内の各同期搬送波に関係する優先度は、無線リソース制御（ＲＲＣ）コンフィギュレーションを使用して、前記ＵＥ中に構成される請求項１４記載の装置。
【手続補正２】
【補正対象書類名】明細書
【補正対象項目名】００７５
【補正方法】変更
【補正の内容】
【００７５】
［００７８］
本開示の先の説明は、当業者が本開示を製造または使用することを可能にするために提供されている。本開示へのさまざまな修正は、当業者に容易に明らかとなり、ここで規定される共通の原理を、本開示の精神または範囲から逸脱することなく他のバリエーションに適用してもよい。さらに、説明した態様および／または実施形態の要素を単数で説明または主張したかもしれないが、単数への限定が明示的に述べられていない限り、複数が企図されている。加えて、任意の態様および／または実施形態のすべてあるいは一部分は、特に指示のない限り、他の何らかの態様および／または実施形態のすべてあるいは一部分により利用してもよい。したがって、本開示は、ここで説明した例および設計に限定されず、ここで開示した原理および新規の特徴と一致する最も広い範囲が与えられるべきである。
以下に、本願出願の当初の特許請求の範囲に記載された発明を付記する。
［１］  ワイヤレス通信のための方法において、
第１のユーザ機器（ＵＥ）のために構成されている同期搬送波のセットを識別することと、
前記第１のＵＥにおいて、１つ以上の第２のＵＥとの通信を確立するのに使用される１つ以上の周波数搬送波を識別することと、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定することと、
前記同期搬送波のサブセット中の各同期搬送波に関係する同期源を決定することと、
前記同期源により提供されるタイミングおよび周波数の同期に基づいて、前記１つ以上の周波数搬送波を通しての前記第１のＵＥと前記１つ以上の第２のＵＥとの間の通信を確立することとを含む方法。
［２］  前記同期搬送波のサブセット中の各同期搬送波に対する最高優先度の同期源を決定することと、
前記最高優先度の同期源を有する前記周波数搬送波として、前記同期搬送波を選択することとをさらに含む［１］記載の方法。
［３］  前記１つ以上の周波数搬送波が、複数の搬送波グループに区分され、
前記同期源が、前記複数の搬送波グループのうちの１つ以上に対してタイミングおよび周波数の基準を提供する［１］記載の方法。
［４］  前記同期搬送波のサブセット中の同期搬送波のそれぞれに関係する同期源を決定することは、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別することと、
前記同期搬送波に対する優先度またはコンフィギュレーションのうちの１つまたは両方に基づいて、前記同期源を選択することとをさらに含む［１］記載の方法。
［５］  前記同期搬送波のサブセット中の同期搬送波のそれぞれに関係する同期源を決定することは、
前記同期搬送波のセット内の各同期搬送波に関係する優先度を識別することと、
前記同期搬送波が、前記同期搬送波のセット内の最高優先度の搬送波であることを決定することと、
前記同期搬送波に対するコンフィギュレーションに基づいて、前記同期源を決定することとをさらに含む［１］記載の方法。
［６］  前記同期搬送波のセット内の各同期搬送波に関係する優先度は、無線リソース制御（ＲＲＣ）コンフィギュレーションを使用して、前記ＵＥ中に構成される［５］記載の方法。
［７］  前記第１のＵＥのサイドリンク同期能力は、前記第１のＵＥが複数の搬送波からの第１の周波数搬送波上でサイドライン同期信号（ＳＬＳＳ）を受信できるようにすることを決定することと、
前記第１のＵＥを同期サーチ搬送波に同調させることとをさらに含み、
前記サイドリンク同期能力に基づいて、前記第１の周波数搬送波が、前記同期サーチ搬送波として設定される［１］記載の方法。
［８］  前記第１のＵＥのサイドリンク同期能力は、前記第１のＵＥが前記周波数搬送波のセットからの第１の周波数搬送波と第２の周波数搬送波上でサイドライン同期信号（ＳＬＳＳ）を受信し、前記第２の周波数搬送波上で前記ＳＬＳＳを送信できるようにすることを決定することと、
前記第１のＵＥを同期サーチ搬送波に同調させることとをさらに含み、
前記サイドリンク同期能力に基づいて、前記第２の周波数搬送波が、前記同期サーチ搬送波として設定される［１］記載の方法。
［９］  ワイヤレス通信のためのユーザ機器（ＵＥ）において、
プロセッサと、
前記プロセッサと通信するメモリと具備し、
前記メモリは、前記プロセッサによって、
第１のＵＥのために構成されている同期搬送波のセットを識別し、
前記第１のＵＥにおいて、１つ以上の第２のＵＥとの通信を確立するのに使用される１つ以上の周波数搬送波を識別し、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定し、
前記同期搬送波のサブセット中の各同期搬送波に関係する同期源を決定し、
前記同期源により提供されるタイミングおよび周波数の同期に基づいて、前記周波数搬送波のうちの１つ以上を通しての前記第１のＵＥと前記１つ以上の第２のＵＥとの間の通信を確立するように、実行可能な命令を含むＵＥ。
［１０］  前記命令は、前記プロセッサによって、
前記同期搬送波のサブセット中の各同期搬送波に対する最高優先度の同期源を決定し、
前記最高優先度の同期源を有する前記周波数搬送波として、前記同期搬送波を選択するように、さらに実行可能である［９］記載のＵＥ。
［１１］  前記１つ以上の周波数搬送波が、複数の搬送波グループに区分され、
前記同期源が、前記複数の搬送波グループのうちの１つ以上に対してタイミングおよび周波数の基準を提供する［９］記載のＵＥ。
［１２］  前記同期搬送波のサブセット中の同期搬送波のそれぞれに関係する同期源を決定する命令は、前記プロセッサによって、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別し、
前記同期搬送波に対する優先度またはコンフィギュレーションのうちの１つまたは両方に基づいて、前記同期源を選択するように、さらに実行可能である［９］記載のＵＥ。
［１３］  前記同期搬送波のサブセット中の同期搬送波のそれぞれに関係する同期源を決定する命令は、前記プロセッサによって、
前記同期搬送波のセット内の各同期搬送波に関係する優先度を識別し、
前記同期搬送波が、前記同期搬送波のセット内の最高優先度の搬送波であることを決定し、
前記同期搬送波に対するコンフィギュレーションに基づいて、前記同期源を決定するように、さらに実行可能である［９］記載のＵＥ。
［１４］  前記同期搬送波のセット内の各同期搬送波に関係する優先度は、無線リソース制御（ＲＲＣ）コンフィギュレーションを使用して、前記ＵＥ中に構成される［１３］記載のＵＥ。
［１５］  前記命令は、前記プロセッサによって、
前記第１のＵＥのサイドリンク同期能力は、前記第１のＵＥが複数の搬送波からの第１の周波数搬送波上でサイドライン同期信号（ＳＬＳＳ）を受信できるようにすることを決定し、
前記第１のＵＥを同期サーチ搬送波に同調させるように、さらに実行可能であり、
前記サイドリンク同期能力に基づいて、前記第１の周波数搬送波が、前記同期サーチ搬送波として設定される［９］記載のＵＥ。
［１６］  前記命令は、前記プロセッサによって、
前記第１のＵＥのサイドリンク同期能力は、前記第１のＵＥが前記周波数搬送波のセットからの第１の周波数搬送波と第２の周波数搬送波上でサイドライン同期信号（ＳＬＳＳ）を受信し、前記第２の周波数搬送波上で前記ＳＬＳＳを送信できるようにすることを決定し、
前記第１のＵＥを同期サーチ搬送波に同調させるように、さらに実行可能であり、
前記サイドリンク同期能力に基づいて、前記第２の周波数搬送波が、前記同期サーチ搬送波として設定される［９］記載のＵＥ。
［１７］  ワイヤレス通信のためのコンピュータ読取可能媒体において、
第１のユーザ機器（ＵＥ）のために構成されている同期搬送波のセットを識別するためのコードと、
前記第１のＵＥにおいて、１つ以上の第２のＵＥとの通信を確立するのに使用される１つ以上の周波数搬送波を識別するためのコードと、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定するためのコードと、
前記同期搬送波のサブセット中の各同期搬送波に関係する同期源を決定するためのコードと、
前記同期源により提供されるタイミングおよび周波数の同期に基づいて、前記１つ以上の周波数搬送波を通しての前記第１のＵＥと前記１つ以上の第２のＵＥとの間の通信を確立するためのコードとを含むコンピュータ読取可能媒体。
［１８］  前記同期搬送波のサブセット中の各同期搬送波に対する最高優先度の同期源を決定するためのコードと、
前記最高優先度の同期源を有する前記周波数搬送波として、前記同期搬送波を選択するためのコードとをさらに含む［１７］記載のコンピュータ読取可能媒体。
［１９］  前記１つ以上の周波数搬送波が、複数の搬送波グループに区分され、
前記同期源が、前記複数の搬送波グループのうちの１つ以上に対してタイミングおよび周波数の基準を提供する［１７］記載のコンピュータ読取可能媒体。
［２０］  前記同期搬送波のサブセット中の同期搬送波のそれぞれに関係する同期源を決定するためのコードは、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別するためのコードと、
前記同期搬送波に対する優先度またはコンフィギュレーションのうちの１つまたは両方に基づいて、前記同期源を選択するためのコードとをさらに含む［１７］記載のコンピュータ読取可能媒体。
［２１］  前記同期搬送波のサブセット中の同期搬送波のそれぞれに関係する同期源を決定するためのコードは、
前記同期搬送波のセット内の各同期搬送波に関係する優先度を識別するためのコードと、
前記同期搬送波が、前記同期搬送波のセット内の最高優先度の搬送波であることを決定するためのコードと、
前記同期搬送波に対するコンフィギュレーションに基づいて、前記同期源を決定するためのコードとをさらに含む［１７］記載のコンピュータ読取可能媒体。
［２２］  前記同期搬送波のセット内の各同期搬送波に関係する優先度は、無線リソース制御（ＲＲＣ）コンフィギュレーションを使用して、前記ＵＥ中に構成される［２１］記載のコンピュータ読取可能媒体。
［２３］  前記第１のＵＥのサイドリンク同期能力は、前記第１のＵＥが複数の搬送波からの第１の周波数搬送波上でサイドライン同期信号（ＳＬＳＳ）を受信できるようにすることを決定するためのコードと、
前記第１のＵＥを同期サーチ搬送波に同調させるためのコードとをさらに含み、
前記サイドリンク同期能力に基づいて、前記第１の周波数搬送波が、前記同期サーチ搬送波として設定される［１７］記載のコンピュータ読取可能媒体。
［２４］  前記第１のＵＥのサイドリンク同期能力は、前記第１のＵＥが前記周波数搬送波のセットからの第１の周波数搬送波と第２の周波数搬送波上でサイドライン同期信号（ＳＬＳＳ）を受信し、前記第２の周波数搬送波上で前記ＳＬＳＳを送信できるようにすることを決定するためのコードと、
前記第１のＵＥを同期サーチ搬送波に同調させるためのコードとをさらに含み、
前記サイドリンク同期能力に基づいて、前記第２の周波数搬送波が、前記同期サーチ搬送波として設定される［１７］記載のコンピュータ読取可能媒体。
［２５］  ワイヤレス通信のための装置において、
第１のユーザ機器（ＵＥ）のために構成されている同期搬送波のセットを識別する手段と、
前記第１のＵＥにおいて、１つ以上の第２のＵＥとの通信を確立するのに使用される１つ以上の周波数搬送波を識別する手段と、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定する手段と、
前記同期搬送波のサブセット中の各同期搬送波に関係する同期源を決定する手段と、
前記同期源により提供されるタイミングおよび周波数の同期に基づいて、前記１つ以上の周波数搬送波を通しての前記第１のＵＥと前記１つ以上の第２のＵＥとの間の通信を確立する手段とを具備する装置。
［２６］  前記同期搬送波のサブセット中の各同期搬送波に対する最高優先度の同期源を決定する手段と、
前記最高優先度の同期源を有する前記周波数搬送波として、前記同期搬送波を選択する手段とをさらに具備する［２５］記載の装置。
［２７］  前記１つ以上の周波数搬送波が、複数の搬送波グループに区分され、
前記同期源が、前記複数の搬送波グループのうちの１つ以上に対してタイミングおよび周波数の基準を提供する［２５］記載の装置。
［２８］  前記同期搬送波のサブセット中の同期搬送波のそれぞれに関係する同期源を決定する手段は、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別する手段と、
前記同期搬送波に対する優先度またはコンフィギュレーションのうちの１つまたは両方に基づいて、前記同期源を選択する手段とをさらに備える［２５］記載の装置。
［２９］  前記同期搬送波のサブセット中の同期搬送波のそれぞれに関係する同期源を決定する手段は、
前記同期搬送波のセット内の各同期搬送波に関係する優先度を識別する手段と、
前記同期搬送波が、前記同期搬送波のセット内の最高優先度の搬送波であることを決定する手段と、
前記同期搬送波に対するコンフィギュレーションに基づいて、前記同期源を決定する手段とをさらに備える［２５］記載の装置。
［３０］  前記同期搬送波のセット内の各同期搬送波に関係する優先度は、無線リソース制御（ＲＲＣ）コンフィギュレーションを使用して、前記ＵＥ中に構成される［２９］記載の装置。